(57)【要約】      （修正有）【課題】集中豪雨による危険を察知し、迅速克正確に、個人及び、不特定多数の人へ発信し警告し、人的被害、物的被害を最小限にとどめる集中豪雨避難警報機を提供する。【解決手段】たて樋から直接雨水を取り入れる主管２と、主管と中継管３を介して接続された貯水管５と、この貯水管に信号ケーブルを介して接続された警報機とからなり、主管の内部に調整弁８を有し、設定降雨量を検知、過剰に流れた雨水を貯水管に流し込み、貯水管内部にピンポン玉を設け、貯水管上部にスイッチ部を設けることで、雨水流入をスイッチ部へ伝え、警報機を作動させるスイッチ部で警報発信することを特徴とする。【選択図】図２
0003192238.tif 000002
【実用新案登録請求の範囲】
【請求項１】
たて樋から直接雨水を取り入れる主管と、中継管を介して接続された貯水管と、この貯水管に信号ケーブルを介して接続された警報機とからなり、前記主管の内部に調整弁を有し、設定降雨量を検知、過剰に流れた雨水を貯水管に流し込む。前記貯水管は雨水流入をスイッチへ伝えるピンポン玉と、警報機を作動させるスイッチ部で警報発信することを特徴とする集中豪雨非難警報機。
【請求項２】
たて樋に取り外し可能な構造を特徴とする請求項１記載の集中豪雨非難警報機。
【請求項３】
ピンポン玉がスイッチを作動させる構造を特徴とする請求項1または2記載の集中豪雨非難警報機。
【考案の詳細な説明】
【技術分野】
【０００１】
本考案は、予測困難な、突発的で局地的な豪雨を観測し、短時間雨量を検出し、自動的に警報を発する、集中豪雨非難警報機に関する。
【背景技術】
【０００２】
従来、長雨や局地的豪雨によって発生する災害を未然に防ぐため、雨量を計測する装置が提案されており、累積された雨量を貯水ボトルに貯め、設定された水位に達した際、センサーが設定貯水量を検知し、アラームとブザーで報知する簡易雨量警報機が示されている（特許文献1）が、これは単純に累積降雨量を計測し、設定降雨量になったことを検知しているに過ぎず、危険を察知する事は不可能である。このような装置の発展型として、単位面積の降雨を集める集水器からの雨水を、排水口を設けた貯水槽に流入させ、一定時間での降雨量から警戒雨量の設定に基づき警報を発信するものがある。（特許文献2）しかし、構造が複雑なため、定期的清掃やメンテナンスが必要であり、設置場所や設置条件も限られてくるため、一般家庭への普及は困難である。
【０００３】
また、太陽光パネルと蓄電池を用い、定期的なメンテナンスを必要とすることなく、無線発信機による警報通報装置が考案されている（特許文献3）が、特殊施設への設置想定のため、設備が大規模。さらには、通信回線を介して所定地域に関する降雨情報を取得し、警戒システム構築が可能な警戒システム。（特許文献4）が考案されている。しかし、このような装置の一般家庭への普及は、コストやメンテナンスの面から不可能である。
【先行技術文献】
【特許文献】
【０００４】
【特許文献１】特開2006−258577
【特許文献２】特開2007−315845
【特許文献３】特開2013−190264
【特許文献４】特開2014−6605
【考案の概要】
【考案が解決しようとする課題】
【０００５】
集中豪雨による災害原因は、建築物や人が存在する諸条件により多種多様である。よって災害を最小限に食い止めるには、地域にあった基準と、小範囲での発令が必要になる。現在、警報システムは気象レーダーと雨量計が一般的である。しかし、気象レーダーは気象衛星の観測が30分や1時間間隔のため、迅速な予測には向かず、雨量計は設置箇所が限られているため、対象エリアが広く局地的豪雨には不向き。
本考案は、各家庭への設置が容易に行え、観測点を飛躍的に増やすことで、より多くの人々へ警報発令が可能になる。
【課題を解決するための手段】
【０００６】
本考案は、たて樋に装着する構造を有し、殆どの建築物への設置が可能。
【０００７】
簡素な構造で、維持管理に特別な知識は不要で安価。
【０００８】
警報は音と光によって発信し、警報装置を視認性に優れた位置に設置することで、不特定多数の人に通知。
【０００９】
作動には、乾電池を使用し停電時にも対応。
【考案の効果】
【００１０】
本考案の集中豪雨避難警報機は、簡素な構造で製造コストも低く、簡単に設置できるため、一般家庭への設置が可能、更に、維持管理は数年に1度、電池交換のみで済み容易、また、フ゛サ゛ーとＬＥＤを屋内、屋外へ設置する事により、設置者のみならず、不特定多数への注意喚起が出来る。よって、短時間で局地的な避難警報、避難指示発令が可能になる。
【図面の簡単な説明】
【００１１】
【図１】本考案の集中豪雨避難警報機の設置図である。
【図２】本考案の集中豪雨避難警報機の側面図である。
【図３】本考案の集中豪雨避難警報機の主管分解図、調整弁図である。
【図４】本考案の集中豪雨避難警報機の貯水管分解図である。
【図５】本考案の集中豪雨避難警報機のスイッチ説明図である。
【図６】本考案の集中豪雨避難警報機の電気回路図である。
【考案を実施するための形態】
【００１２】
図1に示す集中豪雨避難警報機1は、建築物のたて樋部分に取り付けて使用する。
また、本装置はメンテナンスを考慮して着脱式とし、設置高は地上高1m位が望ましい。
【００１３】
図1に示す集中豪雨避難警報機1は、図2に示す主管2、中継管3、電源4、貯水管5、フ゛サ゛ー6、ＬＤＥ7にて構成されている。
【００１４】
図２に示す本考案の集中豪雨非難警報機の一連動作を説明する。主管2に入った雨水は調整弁8を通過する、過剰に流れた雨水は調整弁を通過できず、中継管2を通過し貯水管5に流れ込む、流れ込んだ雨水で主管2及び貯水管5の水位が上昇、その際、貯水管5に内蔵されたピンポン玉9が雨水の浮力により上昇する、上昇したピンポン玉9がピアノ線10を押し上げリード線11に接触、電池4ブザー6ＬＥＤ7から成る回路が作動し、危険を発信する。
【００１５】
図3に示す主管上部12の内径は、たて樋外径より10mm程太い物とし、上方へスライド可能な構造とする、主管下部14は二重構造とし、主管下部14の内径と内管14aの外径を同じとする、主管下部14の長は、内管14aの長さより10mm長くすることで、たて樋は主管下部14に差し込まれた後、内管14aで止る構造を有する、よって着脱可能になる。
【００１６】
図3に示す主管2は、接合部13を設けることで、上部12と下部14に分解式とする。結果、調整弁8を上部12と下部14で挟み込み固定する構造を有するため、清掃、交換が可能。
【００１７】
図3に示す調整弁8の穴8aの直径は、建造物の屋根構造により決定する、設定流水量は、毎分１mm降雨時のたて樋を流れる水量を、通常通過流水上限に設定し、それを超える水量を過剰水量とし制限する。
【００１８】
調整弁8は、ゴミ等の流入を考慮して、円盤に穴を開けただけの簡素な構造で、定期清掃を不要とする。
【００１９】
図4に示す貯水管5の蓋15は、雨水流入流出時に必要な空気抜き穴を付加し、メンテナンスを考慮し、着脱式とする。
【００２０】
図4に示す貯水管5の底16は、調整弁8と水平とし、降水量の減少に伴う、貯水管5中継管3の雨水排水を促す。
【００２１】
図4に示すピンポン玉9は、雨水流入の際、ゴミ混入による動作不良を防止するためピンポン玉9の直径は貯水管5の直径より約5mm小さい事が望ましい。
【００２２】
図4に示すピアノ線10とリード線11からなるスイッチは、降雨量減少に伴い雨水を中継管3を通して排水、結果、貯水管5の水位は下降、ピアノ線を押し上げていたピンポン玉9が下降し、リード線11とピアノ線10の接触が解除され、警報発信を自動的に解除する。
【００２３】
図5は図4に示すピアノ線10とリード線11を真上から見た図を表す。故障、誤作動を防止するためスイッチは簡素化を図り、ピアノ線10とリード線11のみで構成、接点は円中心部に設定し、リード線11は接触部以外被服する。
【００２４】
図6は本考案である集中豪雨非難警報機の電気回路図である。電源4は停電時を想定し乾電池とする。
【００２５】
図6に示すブザー6ＬＥＤ7は本体部と室内の2系統を設置し、マグネットスイッチを介し同時に作動する。また、本体設置側ＬＥＤ7は、不特定多数への警告発信を目的とするため、第三者から確認できる場所が望ましい。
【符号の説明】
【００２６】
1集中豪雨非難警報機本体
2主管
3中継管
4電源ボックス
5貯水管
6ブザー
7ＬＥＤ
8 調整弁
9ピンポン玉
10ピアノ線
11リード線
12主管上部
13接合部
14主管下部
15蓋
16底
17マグネットスイッチ
【図１】
0003192238.tif 000003
【図２】
0003192238.tif 000004
【図３】
0003192238.tif 000005
【図４】
0003192238.tif 000006
【図５】
0003192238.tif 000007
【図６】
0003192238.tif 000008
【手続補正書】
【提出日】平成26年5月16日(2014.5.16)
【手続補正１】
【補正対象書類名】実用新案登録請求の範囲
【補正対象項目名】全文
【補正方法】変更
【補正の内容】
【実用新案登録請求の範囲】
【請求項１】
たて樋から直接雨水を取り入れる主管と、主管と中継管を介して接続された貯水管と、この貯水管に信号ケーブルを介して接続された警報機とからなり、前記主管の内部に調整弁を有し、設定降雨量を検知、過剰に流れた雨水を貯水管に流し込み、前記貯水管内部にピンポン玉を設け、貯水管上部にスイッチ部を設けることで、雨水流入をスイッチ部へ伝え、警報機を作動させるスイッチ部で警報発信することを特徴とする集中豪雨避難警報機。
【請求項２】
主管下部の内部に内管を設け、たて樋は主管下部に差し込まれた後、内管で止まるようにすることで、たて樋に取り外し可能な構造としたことを特徴とする請求項１記載の集中豪雨避難警報機。
【請求項３】
スイッチ部は、ピアノ線とリード線とからなり、ピンポン玉がピアノ線を押し上げ、ピアノ線とリード線とを接触させることで、スイッチ部を作動させる構造を特徴とする請求項１または２記載の集中豪雨避難警報機。